(57)【要約】【課題】ノイズキャンセルによる感度劣化を防止すること。【解決手段】受信信号Ｓ２を入力する第１端子Ｔ１と、受信信号Ｓ２の品質に影響を与える外部からのノイズ信号Ｓ１１を入力する第２端子Ｔ２と、第１端子Ｔ１と接続され、受信信号Ｓ２を入力し増幅信号Ｓ２ａを出力する低雑音増幅回路（ＬＮＡ４０）と、第２端子Ｔ２と接続され、ノイズ信号Ｓ１１を打ち消すキャンセル信号Ｓ１２を生成するキャンセル信号生成部６０と、増幅信号Ｓ２ａとキャンセル信号Ｓ１２とを加算した加算信号Ｓ３を第３端子Ｔ３から出力する加算部５０と、を含むノイズキャンセル機能付増幅回路２１。【選択図】図１
2009100441.tif 000002
【特許請求の範囲】
【請求項１】
無線信号を受信する受信部の近傍から発生するノイズ信号に基づいて前記ノイズ信号を打ち消すキャンセル信号を生成することと、
前記受信部に入力される受信信号を増幅した増幅信号を生成することと、
前記増幅信号と前記キャンセル信号とを加算した加算信号を生成することと、
を含むノイズキャンセル方法。
【請求項２】
前記キャンセル信号を生成する際に前記ノイズ信号の振幅調整を前記加算信号に基づいて行うことを更に含む請求項１に記載のノイズキャンセル方法。
【請求項３】
前記キャンセル信号を生成する際に前記ノイズ信号の増幅または減衰を前記加算信号に基づいて行うことを更に含む請求項１に記載のノイズキャンセル方法。
【請求項４】
前記受信信号は、測位用衛星から受信した測位用衛星信号である請求項１から３のいずれか一項に記載のノイズキャンセル方法。
【請求項５】
受信信号を入力する第１端子と、
前記受信信号に影響を与えるノイズ信号を入力する第２端子と、
前記第１端子と接続され、前記受信信号を入力し増幅信号を出力する低雑音増幅回路と、
前記第２端子と接続され、前記第２端子から入力された前記ノイズ信号に基づいて前記ノイズ信号を打ち消すキャンセル信号を生成するキャンセル信号生成部と、
前記増幅信号と前記キャンセル信号とを加算した加算信号を第３端子から出力する加算器と、
を含む、
ノイズキャンセル機能付増幅回路。
【請求項６】
前記キャンセル信号生成部は、前記ノイズ信号の位相を任意に移相した位相信号を出力する移相部と、前記位相信号の振幅を調整する振幅調整部と、を含む、請求項５に記載のノイズキャンセル機能付増幅回路。
【請求項７】
前記振幅調整部は、増幅部及び減衰部の少なくとも１つを含む、請求項６に記載のノイズキャンセル機能付増幅回路。
【請求項８】
前記増幅部の増幅率及び前記減衰部の減衰率の少なくとも１つは、前記加算信号に基づき設定される、請求項７に記載のノイズキャンセル機能付増幅回路。
【請求項９】
前記受信信号は、測位用衛星から受信した測位用衛星信号であり、前記ノイズ信号は、前記受信信号を受信する受信部の近傍に配置された回路から発生する信号である、請求項５から８のいずれか一項に記載のノイズキャンセル機能付増幅回路。
【請求項１０】
請求項５から９のいずれか一項に記載のノイズキャンセル機能付増幅回路と、
前記ノイズキャンセル機能付増幅回路の前記第３端子に接続され、前記加算信号を入力しＩＦ信号を生成するＩＦ信号生成回路と、
を含む、
受信回路。
【請求項１１】
請求項１０に記載の受信回路を含む電子機器。
【発明の詳細な説明】
【技術分野】
【０００１】
本発明は、ノイズキャンセル方法、ノイズキャンセル機能付増幅回路、ノイズキャンセル機能付増幅回路を含む受信回路及び電子機器に関する。
【背景技術】
【０００２】
受信回路を内蔵した電子機器において、受信回路の近傍に配置されている電子回路の回路動作に伴う電磁場の変化に起因して交流信号が発生し、これが受信回路側に回り込んで、妨害波として受信信号に混在してしまう場合がある。このような現象は、信号劣化の大きな要因となるため、受信信号に重畳された妨害波を除去するための様々な技術が考案されている。
【０００３】
その一例として、特許文献１には、電子回路からの発生信号の位相を遅延線を用いて反転させることで、当該発生信号を打ち消す信号（以下、「キャンセル信号」と称す。）を生成して、妨害波を除去する技術が開示されている。
【０００４】
【特許文献１】特開２００６−１４５３１５号公報
【発明の開示】
【発明が解決しようとする課題】
【０００５】
ところで、アンテナ等の受信部で受信される信号は微弱な信号であり、増幅によって信号レベルを引き上げて信号処理を行うのが一般的である。しかし、特許文献１に開示されている技術では、増幅段の前の、アンテナと信号処理系統とを接続する信号線の途中位置に遅延線の接点を設け、受信直後の微弱な信号にキャンセル信号を加算する構成をとっている。
【０００６】
このため、加算するキャンセル信号の信号レベルを正確に制御し、微弱な受信信号に混在している妨害波成分を適切に打ち消す必要があった。キャンセル信号の信号レベルが不適切である場合、妨害波成分を打ち消すのに十分な信号レベルを超過した過度のキャンセル信号によって、逆に妨害波成分が増加してしまい、受信感度が劣化してしまうおそれがあった。
【０００７】
また、従来の方法では、所望の信号の周波数帯におけるノイズをバンドパスフィルタで取り除くことができないという課題がある。これは、バンドパスフィルタは、所望の信号と同一周波数にあるノイズを区別できないため、帯域内の信号として減衰させずに通してしまうためである。この周波数帯のノイズは、非常に微弱な電力であっても、受信機の受信性能を劣化させてしまう。
【課題を解決するための手段】
【０００８】
本発明は、上述の課題の少なくとも一部を解決するためになされたものであり、以下の形態または適用例として実現することが可能である。
【０００９】
［適用例１］
無線信号を受信する受信部の近傍から発生するノイズ信号に基づいて前記ノイズ信号を打ち消すキャンセル信号を生成することと、前記受信部に入力される受信信号を増幅した増幅信号を生成することと、前記増幅信号と前記キャンセル信号とを加算した加算信号を生成することと、を含むノイズキャンセル方法。
【００１０】
この構成によれば、受信信号の品質に影響を与えるノイズ信号を効果的に取り除くことができ、受信性能を改善することができる。
【００１１】
［適用例２］
前記キャンセル信号を生成する際に前記ノイズ信号の振幅調整を前記加算信号に基づいて行うことを更に含む上記に記載のノイズキャンセル方法。
【００１２】
この構成によれば、受信信号の品質に影響を与えるノイズ信号を効果的に取り除くことができ、受信性能を改善することができる。
【００１３】
［適用例３］
前記キャンセル信号を生成する際に前記ノイズ信号の増幅または減衰を前記加算信号に基づいて行うことを更に含む上記に記載のノイズキャンセル方法。
【００１４】
この構成によれば、受信信号の品質に影響を与えるノイズ信号を効果的に取り除くことができ、受信性能を改善することができる。
【００１５】
［適用例４］
前記受信信号は、測位用衛星から受信した測位用衛星信号である上記に記載のノイズキャンセル方法。
【００１６】
この構成によれば、測位用衛星から受信した測位用衛星信号の品質に影響を与えるノイズ信号を効果的に取り除くことができ、受信性能を改善することができる。
【００１７】
［適用例５］
受信信号を入力する第１端子と、前記受信信号に影響を与えるノイズ信号を入力する第２端子と、前記第１端子と接続され、前記受信信号を入力し増幅信号を出力する低雑音増幅回路と、前記第２端子と接続され、前記第２端子から入力された前記ノイズ信号に基づいて前記ノイズ信号を打ち消すキャンセル信号を生成するキャンセル信号生成部と、前記増幅信号と前記キャンセル信号とを加算した加算信号を第３端子から出力する加算器と、を含む、ノイズキャンセル機能付増幅回路。
【００１８】
この構成によれば、受信信号の品質に影響を与えるノイズ信号を効果的に取り除くことができ、受信性能を改善することができる。
【００１９】
［適用例６］
前記キャンセル信号生成部は、前記ノイズ信号の位相を任意に移相した位相信号を出力する移相部と、前記位相信号の振幅を調整する振幅調整部と、を含む、上記に記載のノイズキャンセル機能付増幅回路。
【００２０】
この構成によれば、受信信号の品質に影響を与えるノイズ信号を効果的に取り除くことができ、受信性能を改善することができる。
【００２１】
［適用例７］
前記振幅調整部は、増幅部及び減衰部の少なくとも１つを含む、上記に記載のノイズキャンセル機能付増幅回路。
【００２２】
この構成によれば、受信信号の品質に影響を与えるノイズ信号を効果的に取り除くことができ、受信性能を改善することができる。
【００２３】
［適用例８］
前記増幅部の増幅率及び前記減衰部の減衰率の少なくとも１つは、前記加算信号に基づき設定される、上記に記載のノイズキャンセル機能付増幅回路。
【００２４】
この構成によれば、受信信号の品質に影響を与えるノイズ信号を効果的に取り除くことができ、受信性能を改善することができる。
【００２５】
［適用例９］
前記受信信号は、測位用衛星から受信した測位用衛星信号であり、前記ノイズ信号は、前記受信信号を受信する受信部の近傍に配置された回路から発生する信号である、上記に記載のノイズキャンセル機能付増幅回路。
【００２６】
この構成によれば、測位用衛星から受信した測位用衛星信号の品質に影響を与えるノイズ信号を効果的に取り除くことができ、受信性能を改善することができる。
【００２７】
［適用例１０］
上記に記載のノイズキャンセル機能付増幅回路と、前記ノイズキャンセル機能付増幅回路の前記第３端子に接続され、前記加算信号を入力しＩＦ信号を生成するＩＦ信号生成回路と、を含む、受信回路。
【００２８】
この構成によれば、ノイズキャンセル機能付増幅回路とＩＦ信号生成回路とが独立しているのでノイズの回り込みを低減でき、電源及び接地電位も分離できるので高精度なノイズの低減ができる。
【００２９】
［適用例１１］
上記に記載の受信回路を含む電子機器。
【００３０】
この構成によれば、測位用衛星からの衛星信号に重畳したノイズを低減できる。
【発明を実施するための最良の形態】
【００３１】
以下、電子機器の実施形態について図面に従って説明する。
【００３２】
（第１実施形態）
＜電子機器の構成＞
まず、第１実施形態に係る電子機器の構成について、図１を参照して説明する。図１は、第１実施形態に係る電子機器の構成を示すブロック図である。本実施形態では、電子機器の一例としてパーソナル・ナビゲーション・デバイス（以下ＰＮＤ：Personal Navigation Device）の場合について説明する。
【００３３】
図１に示すように、ＰＮＤ１は、ＧＰＳ（Global Positioning System）アンテナ１０と、受信回路であるＲＦ（Radio Frequency）受信回路部２０と、ベースバンド処理回路部１２０と、ＰＮＤ回路部１４０と、ＣＰＵ（Central Processing Unit）１５０と、操作部１６０と、表示部１７０と、ＲＯＭ（Read Only Memory）１８０と、ＲＡＭ（Random Access Memory）１９０と、を備えて構成される。
【００３４】
ＰＮＤ１のうち、ＲＦ受信回路部２０と、ベースバンド処理回路部１２０とは、それぞれ別のＬＳＩ（Large Scale Integration）として製造することも、１チップとして製造することも可能である。
【００３５】
ＧＰＳアンテナ１０は、測位用衛星であるＧＰＳ衛星から送信された無線信号としてのＧＰＳ衛星信号を含むＲＦ信号を受信するアンテナであり、受信した信号Ｓ１をＲＦ受信回路部２０に出力する。
【００３６】
ＲＦ受信回路部２０は、ＳＡＷ（Surface Acoustic Wave）フィルタ３０と、ノイズキャンセル機能付増幅回路２１と、ＩＦ信号生成回路２２と、から構成されＲＦ信号の受信回路である。尚、以下では、ＧＰＳアンテナ１０及びＲＦ受信回路部２０からなるＧＰＳ衛星信号の受信部をＧＰＳ受信部と称する。
【００３７】
ノイズキャンセル機能付増幅回路２１とＩＦ信号生成回路２２とは、それぞれ独立した別のＬＳＩとして製造されている。
【００３８】
ノイズキャンセル機能付増幅回路２１は、低雑音増幅回路（以下ＬＮＡ：Low Noise Amplifier）４０と、加算部５０と、キャンセル信号生成部６０と、から構成され、第１端子Ｔ１と、第２端子Ｔ２と、第３端子Ｔ３と、を備える。第１端子Ｔ１は、ＬＮＡ４０の入力端子に接続され、第２端子Ｔ２は、キャンセル信号生成部６０の入力端子に接続されている。第３端子Ｔ３は、加算部５０の出力端子と接続されている。
【００３９】
ＩＦ信号生成回路２２は、ＬＮＡ４２と、局部発振信号生成部７０と、乗算部８０と、増幅部（以下ＡＭＰ：Amplifier）９０と、フィルタ１００と、アナログ−デジタル変換部（以下ＡＤＣ：Analog to Digital Converter）１１０と、から構成され、第４端子Ｔ４と、第５端子Ｔ５と、を備える。
【００４０】
ＳＡＷフィルタ３０は、ＧＰＳアンテナ１０から出力された信号Ｓ１のうち、所定の周波数帯域成分だけを通過させる帯域通過フィルタであり、通過させた信号Ｓ２を第１端子Ｔ１を介してＬＮＡ４０に出力する。
【００４１】
ＬＮＡ４０は、ＳＡＷフィルタ３０を通過した信号Ｓ２を増幅するローノイズアンプであり、増幅した信号Ｓ２ａを加算部５０に出力する。
【００４２】
加算部５０は、ＬＮＡ４０で増幅された信号Ｓ２ａと、キャンセル信号生成部６０で生成されたキャンセル信号Ｓ１２とを加算する加算器で構成され、加算信号Ｓ３を第３端子Ｔ３から第４端子Ｔ４を介してＬＮＡ４２に出力し、ＬＮＡ４２は、加算信号Ｓ３を増幅した信号Ｓ３ａを乗算部８０に出力する。
【００４３】
キャンセル信号生成部６０は、ＰＮＤ１を構成するＰＮＤ回路部１４０の電源ＶＤＤから発生する電源ノイズの直流成分を直流成分カット（以下ＤＣＣ：Direct Current Cut）１１によりカットした交流成分のノイズ信号Ｓ１１を第２端子Ｔ２を介して入力して移相させた後、振幅を減衰させることでキャンセル信号Ｓ１２を生成する。
【００４４】
ここで、ＰＮＤ回路部１４０が内蔵される関係上、ＰＮＤ回路部１４０とＧＰＳアンテナ１０或いはＲＦ受信回路部２０とは互いに近傍する位置に配置される。この結果、ＰＮＤ回路部１４０の回路動作に伴う電磁場の変化に起因して発生する交流信号が、ＧＰＳアンテナ１０で受信された受信信号に対して妨害波として重畳することになる。特に、ＧＰＳ衛星信号の周波数である１．５ＧＨｚ帯に近い、周波数のノイズが妨害波として重畳することになる。
【００４５】
局部発振信号生成部７０は、ＬＯ（Local Oscillator）等の発振器で構成されるＲＦ信号乗算用の局部発振信号Ｓ１３を生成する回路部であり、生成した局部発振信号Ｓ１３を乗算部８０に出力する。
【００４６】
乗算部８０は、加算部５０による加算信号Ｓ３をＬＮＡ４２で増幅した信号Ｓ３ａに、局部発振信号生成部７０で生成された局部発振信号Ｓ１３を乗算することで、ＲＦ信号を中間周波数の信号であるＩＦ（Intermediate Frequency）信号にダウンコンバートしたＩＦ信号Ｓ３ｂをＡＭＰ９０に出力する。
【００４７】
ＡＭＰ９０は、乗算部８０から出力されたＩＦ信号Ｓ３ｂを所定の増幅率で増幅する増幅器であり、増幅した信号Ｓ３ｃをフィルタ１００に出力する。
【００４８】
フィルタ１００は、ＡＭＰ９０で増幅された信号Ｓ３ｃのうち、ＩＦ信号Ｓ３ｂの信号成分の周波数帯を含む所定の周波数帯域成分だけを通過させる帯域通過フィルタであり、通過させた信号Ｓ４をＡＤＣ１１０に出力する。
【００４９】
ＡＤＣ１１０は、アナログ信号をデジタル信号に変換するアナログ−デジタル変換器であり、フィルタ１００を通過した信号Ｓ４をデジタル信号Ｓ５に変換した後、第５端子Ｔ５を介してベースバンド処理回路部１２０に出力する。
【００５０】
ベースバンド処理回路部１２０は、ＲＦ受信回路部２０から出力されたデジタル信号Ｓ５に対して相関検出処理等を行ってＧＰＳ衛星信号を捕捉・抽出し、データを復号して航法メッセージや時刻情報等を取り出し、疑似距離の演算や測位演算等を行う回路部である。尚、ＧＰＳ衛星信号は、Ｃ／Ａ（Coarse and Acquisition）コードと呼ばれるスペクトラム拡散変調された信号である。
【００５１】
ＣＰＵ１５０は、ＲＯＭ１８０に記憶されているシステムプログラム等の各種プログラムに従ってＰＮＤ１の各部を統括的に制御するプロセッサであり、主にベースバンド処理回路部１２０において測位されたＰＮＤ１の現在位置をプロットしたナビゲーション画面を表示部１７０に表示させる。
【００５２】
操作部１６０は、操作キーやボタンスイッチ等により構成される入力装置であり、これらの押下信号をＣＰＵ１５０に出力する。この操作部１６０の操作により、ナビゲーション画面の表示要求等の各種指示入力がなされる。
【００５３】
表示部１７０は、液晶ディスプレイ（ＬＣＤ：Liquid Crystal Display）等により構成され、ＣＰＵ１５０から入力される表示信号に基づいた各種表示を行う表示装置である。表示部１７０には、日付及び時刻の情報や、ナビゲーション画面等が表示される。
【００５４】
ＲＯＭ１８０は、読み出し専用の記憶装置であり、ＰＮＤ１を統括的に制御するためのシステムプログラムや、ナビゲーション機能を実現するためのプログラム等の各種プログラムやデータを記憶している。ＣＰＵ１５０は、これらのプログラムやデータに従って処理を実行する。
【００５５】
ＲＡＭ１９０は、読み書き可能な記憶装置であり、ＣＰＵ１５０により実行されるシステムプログラム、各種処理プログラム、各種処理中のデータ、処理結果等を一時的に記憶するワークエリアを形成している。
【００５６】
なお、ＤＣＣ１１とキャンセル信号生成部６０との間にＳＡＷフィルタ３０と同じＳＡＷフィルタを挿入しても構わない。これは、ＳＡＷフィルタ３０で取り除いた信号Ｓ１のアウトバンドノイズが加算部５０に付加されないようにするためである。
【００５７】
＜キャンセル信号生成部の構成＞
次に、キャンセル信号生成部の構成について図２を参照して説明する。図２は、キャンセル信号生成部の構成を示すブロック図である。図２に示すように、キャンセル信号生成部６０は、移相部６０１と、減衰部６０２を含む振幅調整部６１０と、から構成されている。
【００５８】
移相部６０１は、移相回路であり、ノイズ信号Ｓ１１の位相を任意に移相した後、減衰部６０２に出力する。尚、移相の対象とする周波数は、ＧＰＳ衛星信号と同一の周波数である。
【００５９】
減衰部６０２は、移相部６０１から出力された位相信号を所定の減衰率（ゲイン）で減衰させる減衰器であり、減衰させた信号をキャンセル信号Ｓ１２として加算部５０に出力する。
【００６０】
減衰部６０２の減衰率は、ＧＰＳ受信部と携帯用電子回路との位置関係が確定した後のＰＮＤ１の製造段階で設定される。具体的には、加算部５０により加算された後の加算信号Ｓ３のうち、ＧＰＳ衛星信号の帯域のノイズ成分の量が最低となるように減衰率が調整され、その調整結果の値が設計値として設定される。
【００６１】
＜妨害波除去の原理＞
次に、妨害波除去の原理について図３を参照して説明する。図３は、妨害波除去の原理を示すグラフである。
【００６２】
図３では、横軸を周波数（ｆ）、縦軸を信号レベル（Ｐ）とし、図１の信号Ｓ１，Ｓ２ａ，Ｓ３，Ｓ４，Ｓ１１，Ｓ１２の周波数スペクトルを模式的に示している。尚、本実施形態の特徴を簡潔に説明するため、ＧＰＳ衛星信号のインバンドＩＢ領域の周波数スペクトルを拡大した図を示している。
【００６３】
ＧＰＳアンテナ１０からＲＦ受信回路部２０に出力される信号Ｓ１は、ＧＰＳ衛星信号に種々のノイズが重畳した信号である。しかし、ノイズの多くは、ＲＦ受信回路部２０の近傍位置に配置されているＰＮＤ回路部１４０からＧＰＳ受信部側に回り込んだ電子回路からの不要輻射である。ＧＰＳ衛星信号の周波数スペクトルをＳＧ、不要輻射の周波数スペクトルをＳＣとして、図３（Ｓ１）、（Ｓ２ａ）に図示する。
【００６４】
ＧＰＳ衛星信号は、１．５７５４２ＧＨｚ（以下、「ＧＰＳ周波数」と称す。）の搬送波（キャリア）が拡散された１．５ＧＨｚ帯の信号である。このＧＰＳ衛星信号は、強度の弱い信号であり、その周波数スペクトルＳＧは、ＧＰＳ周波数ｆＧを中心とする所定帯域をインバンドＩＢとする。
【００６５】
一方、不要輻射の周波数は、個々のデジタルＩＣにもよるが、インバンドＩＢの不要輻射をノイズと考える。この不要輻射は、ＧＰＳ衛星信号に対して強度の強い信号であり、その周波数スペクトルＳＣは、例えばＧＰＳ周波数帯域内にｆＣ（＞ｆＧ）に最大ピークＭＰを有する。
【００６６】
ＧＰＳ帯域内の不要輻射信号は、受信したＧＰＳ衛星信号のインバンドＩＢにおける妨害波となる。
【００６７】
ＧＰＳアンテナ１０からＲＦ受信回路部２０に信号Ｓ１が出力されると、ＳＡＷフィルタ３０は、信号Ｓ１のうち、ＧＰＳ衛星信号のインバンドＩＢを中心とする一定帯域の信号を通過させる。即ち、ＳＡＷフィルタ３０によって、概ねインバンドＩＢを中心とする信号が抽出される。そして、ＬＮＡ４０は、ＳＡＷフィルタ３０を通過した信号Ｓ２を増幅した信号Ｓ２ａを加算部５０に出力する。
【００６８】
一方、ＤＣＣ１１からキャンセル信号生成部６０に入力される図３（Ｓ１１）に示すノイズ信号Ｓ１１の周波数スペクトルＳＣは、信号Ｓ１に重畳されている不要輻射の周波数成分と同一であるが、信号レベルＭＰ＋は、信号Ｓ１の不要輻射の周波数スペクトルＳＣの信号レベルＭＰよりも高くなる。キャンセル信号生成部６０は、入力したノイズ信号Ｓ１１を移相部６０１でＬＮＡ４０が出力した信号Ｓ２ａのノイズ成分と１８０度逆相になるように移相した後、減衰部６０２で減衰させ、図３（Ｓ１２）に示すキャンセル信号Ｓ１２として加算部５０に出力する。
【００６９】
その後、加算部５０は、ＬＮＡ４０で増幅された信号Ｓ２ａに、キャンセル信号生成部６０で生成されたキャンセル信号Ｓ１２を加算し、図３（Ｓ３）に示す加算信号Ｓ３をＬＮＡ４２により増幅し、増幅した信号Ｓ３ａを乗算部８０に出力する。加算信号Ｓ３の周波数スペクトルは、ＧＰＳ衛星信号のインバンドＩＢの部分のノイズのピークが無くなった形状となる。
【００７０】
これは、インバンドＩＢにおいて、キャンセル信号Ｓ１２が信号Ｓ２と逆位相になっており、加算によって信号Ｓ２と相殺されたことによるものである。これにより、インバンドＩＲにおいて信号Ｓ１に重畳していたデジタルノイズの妨害波が除去されたことになる。
【００７１】
その後、乗算部８０は、加算部５０から出力された加算信号Ｓ３をＬＮＡ４２により増幅した信号Ｓ３ａに、局部発振信号生成部７０で生成された局部発振信号Ｓ１３を乗算することで、加算信号Ｓ３をダウンコンバートしてＩＦ信号であるＩＦ信号Ｓ３ｂをＡＭＰ９０に出力する。
【００７２】
そして、ＡＭＰ９０は、乗算部８０から出力されたＩＦ信号Ｓ３ｂを増幅した信号Ｓ３ｃをフィルタ１００に出力する。フィルタ１００は、ＡＭＰ９０で増幅された信号Ｓ３ｃのうち、ＧＰＳ衛星信号の中間周波数に対応する帯域（インバンドＩＢに対応する中間周波数の帯域）の信号を通過させ、図３（Ｓ４）に示す信号Ｓ４としてＡＤＣ１１０に出力する。
【００７３】
図３（Ｓ４）に示すように信号Ｓ４は、アウトバンドの信号がフィルタ１００によって遮断された信号である。尚、信号Ｓ４はＩＦ信号であるため、周波数スペクトルを全体的に低域側にシフトさせ、ＩＦ信号の中心周波数ＩＦＧ、即ちインバンドＩＢの中心周波数を縦軸として図示している。
【００７４】
以上に述べた本実施形態によれば、以下の効果が得られる。
【００７５】
本実施形態では、ＧＰＳアンテナ１０で受信された信号がＬＮＡ４０において増幅された後、加算部５０において、キャンセル信号生成部６０で生成されたキャンセル信号と加算されることで、受信信号に重畳されたインバンドのノイズがキャンセルされる。
【００７６】
受信信号がＬＮＡ４０で増幅され、信号レベルが引き上げられた後にキャンセル信号と加算されるため、ＧＰＳアンテナ１０の直後でキャンセル信号を加算する場合に比べて、キャンセル信号の信号レベルの調整を簡単に行うことができ、過度のキャンセル信号によって妨害波成分が増加することを防止することができる。
【００７７】
以上、電子機器の実施形態を説明したが、こうした実施の形態に何ら限定されるものではなく、趣旨を逸脱しない範囲内において様々な形態で実施し得ることができる。以下、変形例を挙げて説明する。
【００７８】
（変形例１）電子機器の変形例１について説明する。前記第１実施形態では、電子機器としてＰＮＤ１の場合について説明したが、携帯型電話機やカーナビゲーション装置、パーソナル・コンピュータ（ＰＣ）等の各種電子機器に適用することが可能である。即ち、無線信号を受信する受信回路と、当該受信信号にとっての妨害波（ノイズ）となる信号を発生する電子回路とを備えた電子機器であれば適用可能である。
【００７９】
受信回路としては、ＧＰＳ信号受信回路の他、他の各種の通信回路等であってもよい。また、受信回路の受信信号に対する妨害波を発生する電子回路としては、コンピュータシステムや各種の通信回路等であってもよい。
【００８０】
（変形例２）電子機器の変形例２について説明する。前記第１実施形態では、衛星測位システムとしてＧＰＳを一例として説明したが、ＷＡＡＳ、ＱＺＳＳ、ＧＬＯＮＡＳＳ、ＧＡＬＩＬＥＯ等の各種衛星測位システムに適用することが可能である。
【００８１】
（変形例３）電子機器の変形例３について説明する。前記第１実施形態では、キャンセル信号生成部６０は、減衰部６０２を含み構成されているが、図４に示すように増幅部６０３を含むように構成してもよい。このように構成すれば、移相部６０１から出力される位相信号に対して、振幅を増幅することも、減衰することもできる。
【００８２】
（変形例４）電子機器の変形例４について説明する。キャンセル信号生成部６０は、加算部５０によって加算された後の信号に基づいて減衰部６０２の減衰率を調整するようにしてもよい。これは、ＧＰＳ受信部近傍に設置される電子回路が常時一定の回路動作をしているとは限らず、動作時／停止時等に応じて回路動作を適宜変化させることが予想されるからである。図５は、変形例４に係るＰＮＤ１の構成を示すブロック図である。図５では、加算部５０によって加算された後の信号として、フィルタ１００が出力する信号Ｓ４をキャンセル信号生成部６０にフィードバックする場合を示す。図６は、変形例４に係るキャンセル信号生成部６０の構成を示すブロック図である。増幅部６０３の増幅率と減衰部６０２の減衰率とは、信号Ｓ４に基づいて設定される。図６では、信号Ｓ４が増幅部６０３と減衰部６０２に入力されるように示したが、どちらか一方でもよい。
【図面の簡単な説明】
【００８３】
【図１】第１実施形態に係る電子機器の構成を示すブロック図。
【図２】キャンセル信号生成部の構成を示すブロック図。
【図３】妨害波除去の原理を示すグラフ。
【図４】変形例３に係るキャンセル信号生成部の構成を示すブロック図。
【図５】変形例４に係る電子機器の構成を示すブロック図。
【図６】変形例４に係るキャンセル信号生成部の構成を示すブロック図。
【符号の説明】
【００８４】
１…ＰＮＤ、１０…アンテナ、１１…ＤＣＣ、２０…ＲＦ受信回路部、２１…ノイズキャンセル機能付増幅回路、２２…ＩＦ信号生成回路、３０…ＳＡＷフィルタ、４０…ＬＮＡ、４２…ＬＮＡ、５０…加算部、６０…キャンセル信号生成部、７０…局部発振信号生成部、８０…乗算部、９０…ＡＭＰ、１００…フィルタ、１１０…ＡＤＣ、１２０…ベースバンド処理回路部、１４０…ＰＮＤ回路部、１５０…ＣＰＵ、１６０…操作部、１７０…表示部、１８０…ＲＯＭ、１９０…ＲＡＭ、６０１…移相部、６０２…減衰部、６０３…増幅部。
【図１】
2009100441.tif 000003
【図２】
2009100441.tif 000004
【図３】
2009100441.tif 000005
【図４】
2009100441.tif 000006
【図５】
2009100441.tif 000007
【図６】
2009100441.tif 000008